(57)【要約】【課題】表示体用フレームの撓みを防止することにより強度を向上させるとともに、表示体用フレームと表示体との空隙に配設された電子部品等の損傷を確実に防止する。【解決手段】一面側の一部分に突出して配置されたサブ液晶表示パネル３を備える液晶表示体４と、一面側に対向して配置されるとともにサブ液晶表示パネル３の表示領域を露出させる開口１３が形成された主壁１１、および主壁１１の周縁に立設されてサブ液晶表示パネル３が収納された表示パネル用ケース１０の側壁１２に対向して配置される側壁２２を備えた表示体用フレーム２０とを有し、表示パネル用ケース１０の側壁１２に、表示体用フレーム２０における側壁２２の先端縁に当接してこの先端縁を支持する支持部３０を、表示パネル用ケース１０の側壁１２の外面から突出して形成する。【選択図】図２
2007293205.tif 000002
【特許請求の範囲】
【請求項１】
一面側に部分的に突出して配置された表示パネルを備えた表示体と、
前記一面側に対向して配置されるとともに前記表示パネルの表示領域を露出させる開口が形成された主壁、および前記主壁の周縁に立設されて前記表示体の側面に対向して配置される側壁を備えた表示体用フレームとを有し、
前記表示体の側面に、前記表示体用フレームにおける前記側壁の先端縁に当接して前記先端縁を支持する支持部が、前記側面から突出して形成されていることを特徴とする表示装置。
【請求項２】
前記表示体用フレームと前記表示体とは係止されている請求項１に記載の表示装置。
【請求項３】
前記表示体は、前記表示パネルと、前記表示パネルに照射光を照射する光源と、照射光を前記表示パネルの方向に導く導光板とを収納する表示パネル用ケースを有し、
前記支持部が形成されている前記表示体の前記側面が、前記表示パネル用ケースの側壁の外面とされている請求項１または２に記載の表示装置。
【請求項４】
前記表示パネルをサブ表示パネルとし、
前記表示体における他面側に、前記サブ表示パネルよりも平面状大きく形成されたメイン表示パネルが配置されている請求項１から３のいずれか１項に記載の表示装置。
【発明の詳細な説明】
【技術分野】
【０００１】
本発明は表示装置に係り、特に、表示パネルを備えた表示体と、この表示体を収納する表示体用フレームとを有する表示装置に関する。
【背景技術】
【０００２】
近年、両面に表示パネルが配設された表示装置が、折り畳み式の携帯電話等の表示装置として多用されている（例えば、特許文献１参照）。
【０００３】
図３は、従来の両面に表示パネルが配設された表示装置の一例を示す模式的断面図であり、図３に示すように、表示装置３１は、２つの表示パネルが備えられた表示体４１を有している。両パネル３２、３３のうちのメイン表示パネル３２は、サブ表示パネル３３と比較して平面形状において大きく形成されており、両表示パネル３２、３３は、両表示パネル３２、３３の反視認面が対向するように配置されている。両表示パネル３３、３２の間隙には、両表示パネル３２、３３の方向に照射光を導くための導光板３６が配設されており、導光板３６の近傍には、導光板３６を介して両表示パネル３２、３３に照射光を照射するための光源３７が、導光板３６の側面に対向して配設されている。そして、両表示パネル３２、３３、光源３７、および導光板３６は、表示パネル用ケース３９に収納されて表示体４１とされており、表示体４１においてサブ表示パネル３３が配置されている部分は、表示体４１の一面から突出した突出部４０とされている。
【０００４】
また、表示装置３１は、表示体４１を内部に収納するステンレス（ＳＵＳ）等からなる表示体用フレーム４２を有している。表示体用フレーム４２は、表示体４１におけるサブ表示パネル３３の配置側の面の全体に対向する大きさの主壁４３と、主壁４３の周縁に立設されて表示体４１の側面に対向して配置される側壁４４とを備えており、主壁４３における突出部４０に対向する位置には、サブ表示パネル３３において表示を行う表示領域のみを露出させる大きさの開口４５が形成されている。
【０００５】
【特許文献１】特開２００５−２０８１０８号公報
【発明の開示】
【発明が解決しようとする課題】
【０００６】
しかし、前述のような従来の表示装置３１においては、表示体用フレーム４２の主壁４３の内面が、表示体４１の突出部４０に当接し、この結果、主壁４３の内面と表示体４１における突出部４０を除く部分との間に空隙４７が生じてしまうこととなる。このため、主壁４３の内面における周縁部分が表示体４１に当接しておらず、主壁４３の内面と表示体４１との間に空隙４７が生じている場合、主壁４３の周縁部分に表示体４１の配置方向への圧力が加わると、主壁４３が撓んで表示体用フレーム４２が変形し、表示体用フレーム４２の強度が低下してしまうおそれがあるという問題を有していた。また、表示体用フレーム４２の側壁４４の先端縁が表示装置３１の配置位置から突出して、主壁４３が撓んでしまうと、主壁４３がサブ表示パネル３３の周辺に配設され空隙４７に配置されている他の電子部品３８等に当接してこの電子部品３８等を破損させてしまうおそれもあった。
【０００７】
また、主壁４３と表示体４１との間に空隙４７が生じてしまうのを防止するため、表示体用フレーム４２の主壁４３に、表示体４１の突出部４０に沿う段差を形成することも考えられる。しかし、表示体４１から突出したサブ表示パネル３３の配置位置の表面に沿う程度の高さの大きな段差を形成する加工をＳＵＳに施すのは困難であり、表示体用フレーム４２の成形に手間がかかってしまうこととなる。
【０００８】
本発明はこれらの点に鑑みてなされたものであり、表示体用フレームの撓みを防止することにより強度を向上させるとともに、表示体用フレームと表示体との空隙に配設された電子部品等の損傷を確実に防止することができる表示装置を提供することを目的とする。
【課題を解決するための手段】
【０００９】
前記目的を達成するため、請求項１に記載の発明に係る表示装置の特徴は、一面側に部分的に突出して配置された表示パネルを備えた表示体と、前記一面側に対向して配置されるとともに前記表示パネルの表示領域を露出させる開口が形成された主壁、および前記主壁の周縁に立設されて前記表示体の側面に対向して配置される側壁を備えた表示体用フレームとを有し、前記表示体の側面に、前記表示体用フレームにおける前記側壁の先端縁に当接して前記先端縁を支持する支持部が、前記側面から突出して形成されている点にある。
【００１０】
本発明に係る表示装置によれば、表示体用フレームの側壁の先端縁が、表示体の側面に形成された支持部に当接し、表示体用フレームの側壁の配置位置が規制されるようになっているので、主壁の周縁部分に表示体の配置方向への圧力が加わった場合であっても、主壁が撓んでしまうのを防止することができる。
【００１１】
前記表示装置において、前記表示体用フレームは、前記表示体に係止されていることが好ましい。これにより、表示体用フレームが表示体に固定されるので、主壁が撓んで表示体用フレームが変形してしまうのをより確実に防止することができる。
【００１２】
また、前記表示体は、前記表示パネルと、前記表示パネルに照射光を照射する光源と、照射光を前記表示パネルの方向に導く導光板とを収納する表示パネル用ケースを有し、前記支持部が形成されている前記表示体の前記側面が、前記表示パネル用ケースの側壁の外面とされていてもよい。さらに、前記表示パネルをサブ表示パネルとし、前記表示体における他面側に、前記サブ表示パネルよりも平面状大きく形成されたメイン表示パネルが配置されていてもよい。
【発明の効果】
【００１３】
以上述べたように、本発明に係る表示装置によれば、主壁が撓んでしまう結果表示体用フレームが変形して、表示体用フレームの強度が低下してしまうという不都合を確実に防止することができる。また、表示体用フレームにおける側壁の先端縁が、表示装置の配置位置から突出するのを確実に防止する。これにより、表示装置の表示体用フレームと表示体との空隙に配設された電子部品等に表示体用フレームの主壁が当接してこの電子部品等を損傷させてしまうのを防止することができる。
【発明を実施するための最良の形態】
【００１４】
以下、本発明に係る表示装置の一実施形態を図１および図２を参照して説明する。ここで、本実施形態においては、表示装置として、一対の基板間に封入された液晶に選択的に電力を供給して任意の液晶を駆動させることにより、文字や図形等の画像の表示を行う液晶表示パネルを備えた液晶表示装置を用いて説明するが、これに限定されるものではない。
【００１５】
図１は、本実施形態に係る液晶表示装置を示す模式的分解斜視図、図２は、図１の液晶表示装置のＡ−Ａにおける模式的断面図である。
【００１６】
図１および図２に示すように、本実施形態に係る液晶表示装置１は、矩形状の２つの液晶表示パネル２、３が設けられた液晶表示体４を有しており、２つの液晶表示パネルのうちメイン液晶表示パネル２は、サブ液晶表示パネル３と比較して、平面形状において大きく形成されている。
【００１７】
両液晶表示パネル２、３は、一対の透明基板２ａ、３ａを有しており、両透明基板２ａ、３ａのうち一方の透明基板２ａ、３ａの端子部２ｂ、３ｂには、フレキシブル配線基板２ｄ、３ｄが導電接続されている。そして、両液晶表示パネル２、３は、両液晶表示パネル２、３の反視認面が対向し、サブ液晶表示パネル３がメイン液晶表示パネル２の長手方向において一端部分寄りであって、長手方向と直交する方向において中央部分に位置するように配置されている。
【００１８】
両液晶表示パネル２、３の間隙には、両液晶表示パネル２、３の方向に照射光を導くための導光板６が配設されており、導光板６と両液晶表示パネル２、３の間隙には、図示しないプリズムシートや拡散シート等の光学フィルムが配設されている。光学フィルムのメイン液晶表示パネル２側およびサブ液晶表示パネル３側には、それぞれ遮光フィルム７が配置されており、両遮光フィルム７におけるメイン液晶表示パネル２またはサブ液晶表示パネル３における表示領域に対向する部分には、それぞれ開口７ａが形成されている。導光板６の近傍には、導光板６を介して両液晶表示パネル２、３に照射光を照射するための光源８が、導光板６の一側面に対向して配設されている。
【００１９】
そして、両液晶表示パネル２、３、光源８、導光板６、および各光学フィルムは、樹脂材料等からなる表示パネル用ケース１０に収納されて液晶表示体４とされている。表示パネル用ケース１０は、サブ液晶表示パネル３の側面およびメイン液晶表示パネル２の反視認側に対向して配置される主壁１１と、主壁１１の周縁部に立設されてメイン液晶表示パネル２の側面に対向して配置される側壁１２とを有する。主壁１１は、サブ液晶表示パネル３の側面に沿って突出して形成されており、サブ液晶表示パネル３の視認面に対向する部分には、開口１３が形成されている。これにより、液晶表示体４において、サブ液晶表示パネル３が配置されている部分は、突出した突出部１５とされている。
【００２０】
表示パネル用ケース１０の各側壁１２のうちメイン液晶表示パネル２における端子部２ｂの先端縁に対向する第１側壁１２ａ（１２）は、曲折して先端部が端子部２ｂの先端縁に対向する長さに形成されており、メイン液晶表示パネル２に接続されたフレキシブル配線基板２ｄは、第１側壁１２ａの外面に沿って外部に延出し、表示パネル用ケース１０の外面に配置されるようになっている。そして、フレキシブル配線基板２ｄにおける表示パネル用ケース１０の外面に配置された部分には、電子部品１４、１８が導電接続されている。
【００２１】
また、表示パネル用ケース１０における第１側壁１２ａに対向する第２側壁１２ｂ（１２）の外面には、係止爪１６が形成されているとともに、表示パネル用ケース１０の各側壁１２のうち第１、第２側壁１２ａ、１２ｂを除く第３側壁１２ｃ（１２）および図示しない第４側壁の外面には、係止用凹部１７が形成されている。
【００２２】
液晶表示装置１は、液晶表示体４を内部に収納するＳＵＳ等からなる表示体用フレーム２０を有している。表示体用フレーム２０は、液晶表示体４におけるサブ液晶表示パネル３が配置されている面の全体を被覆する大きさの主壁２１と、主壁２１の周縁に立設されて液晶表示体４の側面を被覆する側壁２２とを備えている。表示体用フレーム２０の主壁２１におけるサブ液晶表示パネル３に対向する位置には、サブ液晶表示パネル３において表示を行う表示領域のみを露出させる大きさの第１開口２３ａが形成されているとともに、フレキシブル配線基板２ｄに接続された電子部品１４に対向する位置には、電子部品１４の平面状の大きさに対応する大きさの第２開口２３ｂが形成されている。
【００２３】
表示体用フレーム２０の各側壁２２における表示パネル用ケース１０の係止爪１６が形成されている位置に対向する部分には、前記係止爪１６が係止される係止用孔２５が形成されている。また、表示体用フレーム２０の各側壁２２の内面における表示パネル用ケース１０の係止用凹部１７が形成されている位置に対向する部分には、前記係止用凹部１７に係止される係止用凸部２６が形成されている。そして、表示パネル用ケース１０の係止爪１６を表示体用フレーム２０の係止用孔２５に係止させるとともに、表示体用フレーム２０の係止用凸部２６を表示パネル用ケース１０の係止用凹部１７に係止させることにより、表示体用フレーム２０を液晶表示体４に固定するようになっている。そして、液晶表示体４は、表示体用フレーム２０の内部に収納されるようになっている。このとき、表示体用フレーム２０における主壁２１の内面と液晶表示体４の突出部１５とが当接し、主壁２１の内面と液晶表示体４の突出部１５を除く部分との間には、空隙２８が生じることとなる。
【００２４】
このような液晶表示装置１において、表示パネル用ケース１０の各側壁１２（液晶表示体４における各側面）のうち第１側壁１２ａを除く他の第２側壁１２ｂ、第３側壁１２ｃ、第４側壁における外面の端縁には、表示体用フレーム２０の側壁２２の先端縁を支持する支持部３０が前記第２、第３、第４側壁の外面から突出して形成されており、これにより、表示体用フレーム２０の側壁２２の先端縁は、この表示パネル用ケース１０の側壁１２に形成された支持部３０に当接し、表示体用フレーム２０の側壁２２は、配置位置が規制されるようになっている。
【００２５】
次に、本実施形態の作用について説明する。
【００２６】
本実施形態によれば、表示体用フレーム２０の側壁２２の先端縁が、表示パネル用ケース１０の第２側壁１２ｂ、第３側壁１２ｃ、第４側壁に形成された支持部３０に当接して、表示体用フレーム２０の側壁２２の配置位置が規制されるようになっているので、主壁２１の周縁部分に液晶表示体４の配置方向への圧力が加わった場合であっても、主壁２１が撓んでしまうのを防止することができる。
【００２７】
したがって、従来のもののように主壁２１が撓んでしまう結果、表示体用フレーム２０が変形して、表示体用フレーム２０の強度が低下してしまうという不都合を確実に防止することができる。また、表示体用フレーム２０における側壁２２の先端縁が、液晶表示装置１の配置位置から突出するのを確実に防止する。これにより、表示体用フレーム２０の主壁２１が、液晶表示装置１の表示体用フレーム２０と液晶表示体４との空隙２８配設されている他の電子部品１８等に当接してこの電子部品１８等を破損してしまうのを防止することができる。
【００２８】
さらに、表示パネル用ケース１０の係止爪１６を表示体用フレーム２０の係止用孔２５に係止させるとともに、表示体用フレーム２０の係止用凸部２６を表示パネル用ケース１０の係止用凹部１７に係止させることにより、表示体用フレーム２０を液晶表示体４に固定することができるので、主壁２１が撓んで表示体用フレーム２０が変形してしまうのをより確実に防止することができる。
【００２９】
なお、本発明は前記実施形態に限定されるものではなく、必要に応じて種々変更することが可能である。
【００３０】
例えば、本実施形態においては、表示体は、メイン液晶表示パネル２およびサブ液晶表示パネル３の２つの液晶表示パネル２、３を備えているが、これに限定されるものではなく、表示体の一面の一部分に表示パネルが突出して配置されていればよい。
【図面の簡単な説明】
【００３１】
【図１】本発明に係る表示装置の一例を示す模式的分解斜視図
【図２】図１の表示装置を示すＡ−Ａにおける模式的断面図
【図３】従来の表示装置の一例を示す模式的断面図
【符号の説明】
【００３２】
１  液晶表示装置
２  メイン液晶表示パネル
３  サブ液晶表示パネル
４  液晶表示体
６  導光板
８  光源
１０  表示パネル用ケース
１１  主壁
１２（１２ａ、１２ｂ、１２ｃ）  側壁
１３  開口
１５  突出部
１６  係止爪
１７  係止用凹部
２０  表示体用フレーム
２１  主壁
２２  側壁
２３ａ  第１開口
２３ｂ  第２開口
２５  係止用孔
２６  係止用凸部
２８  空隙
３０  支持部
【図１】
2007293205.tif 000003
【図２】
2007293205.tif 000004
【図３】
2007293205.tif 000005